(57)【要約】【課題】テレビ電話において、着信時、ディスプレイの状態にかかわらず、表示を可能とする。【解決手段】相手から呼び出し信号が送信されてきたとき、その呼び出し信号を検出する検出回路２４と、ディスプレイ３０を制御するための制御信号を形成する形成回路２４とを設ける。検出回路２４が呼び出し信号を検出したとき、所定の制御信号を形成回路２４により形成してディスプレイ３０に出力する。このときの制御信号は、ディスプレイ３０の電源がオフのときにはオンに切り換え、その後、ディスプレイ３０の入力を、この通信装置から出力される映像信号に切り換える信号とする。【選択図】　　　　図１
2004080289.tif 000002
【特許請求の範囲】
【請求項１】
相手から映像信号が送られてきたとき、その映像信号を受信し、
この受信した映像信号をディスプレイに出力して画像として表示させる通信装置であって、
上記相手から呼び出し信号が送信されてきたとき、その呼び出し信号を検出する検出回路と、
上記ディスプレイを制御するための制御信号を形成する形成回路と
を有し、
上記検出回路が上記呼び出し信号を検出したとき、上記制御信号を上記形成回路により形成して上記ディスプレイに出力するとともに、
このときの上記制御信号が、上記ディスプレイの電源がオフ（スタンバイ状態を含む）のときにはオンに切り換え、その後、上記ディスプレイの入力を、この通信装置から出力される映像信号に切り換える信号である
ようにした通信装置。
【請求項２】
請求項１に記載の通信装置において、
上記ディスプレイが別体である
ようにした通信装置。
【請求項３】
請求項１あるいは請求項２に記載の通信装置において、
呼び出しを示す画像として表示される映像信号を形成する第２の形成回路を有し、
上記検出回路が上記呼び出し信号を検出したとき、上記呼び出しを示す画像として表示される映像信号を上記第２の形成回路により形成して上記ディスプレイに出力する
ようにした通信装置。
【請求項４】
請求項３に記載の通信装置において、
上記ディスプレイに、そのときの状態を示す情報の送信を要求する回路と、
上記ディスプレイの状態を示す情報を記憶する記憶手段と
を有し、
上記検出回路が上記呼び出し信号を検出したとき、上記要求する回路により上記ディスプレイに、上記状態を示す情報の送信を要求し、
上記ディスプレイから上記情報が送られてきたとき、その送られてきた情報を上記記憶手段に記憶するとともに、
上記呼び出しを示す画像として表示される映像信号を上記第２の形成回路により形成して上記ディスプレイに出力する
ようにした通信装置。
【請求項５】
請求項３あるいは請求項４に記載の通信装置において、
上記呼び出し信号による呼び出しに応じたとき、上記相手から映像信号が送られてきた映像信号を上記ディスプレイに供給して画像として表示させる
ようにした通信装置。
【請求項６】
請求項５に記載の通信装置において、
上記相手から送られてくる映像信号の画像の表示を終了したとき、上記記憶手段から上記情報を取り出し、
この取り出した情報にしたがって、上記ディスプレイを上記検出回路が上記呼び出し信号を検出する直前の状態に復帰させる制御信号を、上記ディスプレイに送る
ようにした通信装置。
【発明の詳細な説明】
【０００１】
【発明の属する技術分野】
この発明は、通信装置、特にテレビ電話機に関する。
【０００２】
【従来の技術】
テレビ電話機には、その通信回線が公衆電話回線網に接続されるものと、ＩＰ網に接続されるものとがあるが、どちらのテレビ電話機も、通常の電話機に小さい画面のディスプレイ（モニタ）を一体化したタイプと、ディスプレイとして通常のテレビ受像機などを使用するタイプとに大別することができる。
【０００３】
しかし、ブロードバンドネットワークが普及しつつあり、また、家庭のテレビ受像機は大画面化およびフラット化が進んでいる。このため、今後のライフスタイルとして、家庭のリビングルームに入った大型フラットテレビ受像機を使用してテレビ電話を行うことが検討されている。つまり、上記の２つのタイプのうち、ディスプレイとしてテレビ受像機などを使用するタイプのテレビ電話機が注目されつつある。
【０００４】
【発明が解決しようとする課題】
ところが、ディスプレイとしてテレビ受像機を使用するタイプのテレビ電話機の場合、テレビ電話機本体は、一般のＶＴＲやＤＶＤプレイヤーなどと同様、テレビ受像機の外部映像入力端子に接続するという位置付けで設計されていて、テレビ電話機本体とテレビ受像機との間に、それ以上の動作の連携は考えられていない。このため、以下のような問題を生じてしまう。
【０００５】
（１）　テレビ受像機により番組を見ている最中に着信があっても、画面には、その着信について何も表示されない。このため、通常の音声電話と同様、ユーザは呼び出し音でしか着信を知ることができず、せっかくのテレビ電話なのに画面を有効に使っているとは言えない。また、大きな音量で番組を見ている場合には、着信音に気がつかないこともある。
【０００６】
（２）　（１）項で、ユーザが受話器をオフフックして着信に応じても、テレビ受像機にはそれまでユーザが見ていた番組が映っている。したがって、ユーザがテレビ受像機の入力切り換えスイッチを明示的に切り換えないと、テレビ電話の画面に切り換えわらない。同様に、ユーザが発信を行う場合も、ユーザがテレビ受像機の入力切り換えスイッチを明示的に切り換える必要がある。
【０００７】
（３）　テレビ受像機の電源がオフ（スタンバイ状態を含む。以下同様）のときに着信があり、これにユーザが応じるときも、ユーザがテレビ受像機の電源を明示的にオンにし、さらにテレビ受像機の入力切り換えを行わないと、テレビ電話の画面には切り換わらない。また、ユーザが発信を行う場合も、ユーザが明示的に同様の操作を行う必要がある。
【０００８】
（４）　通話を終了して受話器をオンフックするときも、ユーザが明示的に再度入力切り換えないと、テレビ電話の画面がもとのテレビ番組の画面に復帰しない。また、テレビ受像機の電源もオフにならない。
【０００９】
この発明は、以上のような問題点を解決しようとするものである。
【００１０】
【課題を解決するための手段】
この発明においては、例えば、
相手から映像信号が送られてきたとき、その映像信号を受信し、
この受信した映像信号をディスプレイに出力して画像として表示させる通信装置であって、
上記相手から呼び出し信号が送信されてきたとき、その呼び出し信号を検出する検出回路と、
上記ディスプレイを制御するための制御信号を形成する形成回路と
を有し、
上記検出回路が上記呼び出し信号を検出したとき、上記制御信号を上記形成回路により形成して上記ディスプレイに出力するとともに、
このときの上記制御信号が、上記ディスプレイの電源がオフのときにはオンに切り換え、その後、上記ディスプレイの入力を、この通信装置から出力される映像信号に切り換える信号である
ようにした通信装置
とするものである。
したがって、相手から呼び出しがあると、そのときのディスプレイの状態にかかわらず、ディスプレイの表示が可能となる。
【００１１】
【発明の実施の形態】
▲１▼　全体および各機器の構成
図１は、この発明を、ＩＰ電話におけるテレビ電話機に適用した場合の一例を示し、この電話機は、コードレス方式のハンドセット（子機）１０と、その親機に対応するテレビ電話機本体２０と、ディスプレイとして使用するテレビ受像機３０とから構成される。また、符号４０はネットワークを示す。なお、以下の説明において、通常の音声のみによる通話およびその通話モードを「音声通話」および「音声通話モード」と呼び、音声に映像を伴う通話およびその通話モードを「映像通話」および「映像通話モード」と呼ぶものとする。
【００１２】
▲１▼−１　ハンドセット１０
ハンドセット１０は、一般のコードレス電話機の子機（ハンドセット）とほぼ同様に構成されているもので、送話器１１、受話器１２および操作部１３を有する。この場合、送話器１１は、ユーザの音声を音声信号に変換して後述する処理回路１４に供給するものであり、受話器１２は処理回路１４から得られる相手の音声信号が供給されて相手の音声を出力する。
【００１３】
また、操作部１３は、押しボタンスイッチにより構成された各種の操作ボタンを有する。すなわち、操作部１３のうち、音声ボタンは、音声通話の開始を指示するためのボタンで、発信時、着信時、あるいは映像通話中にこの音声ボタンを押すと、通話相手とは通常の電話のように音声のみで通話することができる（音声通話モード）。さらに、カメラボタンは、映像通話の開始を指示するためのボタンで、発信時、着信時、あるいは音声通話中にこのカメラボタンを押すと、通話相手とはテレビ電話で通話することができる（映像通話モード）。また、音声ボタンおよびカメラボタンはオフフック機能も有するもので、着信時あるいは呼び出し中に、音声ボタンあるいはカメラボタンのどちらを押すと、呼び出しは解除され、音声通話もしくは映像通話によって通話が可能とされる。
【００１４】
さらに、操作部１３のうち、切ボタンは、映像通話や音声通話を終了することを指示するボタンであり、すなわち、オンフックを行うボタンである。また、ダイヤルボタンは、相手のアドレス（電話番号）を直接入力するためのボタンである。さらに、アドレスボタンは、アドレス帳から目的とする通話相手のアドレス（電話番号）を検索するためのボタンである。なお、このアドレスボタンはジョグダイヤルとすることもできる。そして、これら操作ボタンが押されたとき、操作部１３は、その押されたボタンが特定できるようにボタンごとに異なった信号を送出する。
【００１５】
さらに、ハンドセット１０は、処理回路１４、表示部１５および通信回路１６を有する。この場合、処理回路１４は、マイクロコンピュータなどにより構成され、各部の信号を処理するとともに、このハンドセット全体の動作を制御するものである。また、表示部１５は、例えばＬＣＤパネルにより構成され、ダイヤル時、着信時、あるいは各種の情報の設定時に、それらの情報を補助的に表示するためのものである。
【００１６】
また、通信回路１６は、テレビ電話機本体２０の通信回路２６と電波を通じて交信することにより、送話器１１および操作部１３から出力される信号をテレビ電話機本体２０に送信し、逆に、テレビ電話機本体２０から送信されてくる音声信号を受信して受話器１２に供給する。さらに、通信回路１６は、テレビ電話機本体２０の通信回路２６との間で、各種の情報や制御データの送受信も行う。
【００１７】
▲１▼−２　テレビ電話機本体２０
テレビ電話機本体２０は、ハンドセット１０に対する親機として動作するとともに、テレビ受像機３０に所定の制御信号を供給して電源や入力などを管理し、また、制御するものである。このため、テレビ電話機本体２０は、ビデオカメラ２１、ネットワーク制御回路２２、処理回路２４、通信回路２６を有する。
【００１８】
この場合、ビデオカメラ２１は、テレビ電話を行うとき、ユーザ（送話者）の姿を撮像するためのものであり、ＣＣＤやＣＭＯＳなどの撮像素子を有して構成され、その撮像出力が処理回路２４に送られる。また、ネットワーク制御回路２２は、通話相手に送る音声信号、映像信号および制御データをＩＰパケット化してネットワーク４０に送出し、逆に、ネットワーク４０を通じて相手から送られてきたＩＰパケットを受信してもとの音声信号、映像信号および制御データを復号して処理回路２４に供給する。
【００１９】
また、処理回路２４は、マイクロコンピュータなどにより構成され、ビデオカメラ２１から供給された映像信号およびハンドセット１０から送られてくる音声信号を通話相手に送るためのエンコード処理、およびネットワーク４０を通じて相手から送られてくる映像信号および音声信号のデコード処理を実行する。さらに、処理回路２４は、この装置全体をテレビ電話機として機能させるための各種の処理を実行する。例えば、テレビ受像機３０への映像信号の出力、およびテレビ受像機３０との間の制御信号の入出力なども制御する。
【００２０】
さらに、処理回路２４は、ＲＯＭ２４ＡおよびＲＡＭ２４Ｂを有する。このＲＯＭ２４Ａは、処理回路２４が実行するプログラム、そのプログラムの実行に必要なデータ、オペレーティングシステムをあらかじめ格納し、必要なときに処理回路２４により読み出され、利用される。また、ＲＡＭ２４Ｂは、そのプログラムの実行時に一時的に必要となる記憶領域として使われる。
【００２１】
また、ＲＡＭ２４Ｂには、テレビ電話機本体２０の現在の通話モードが、音声通話モードであるか映像通話モードであるかを示す情報も記憶される。そして、この通話モードが変化した場合には、処理回路２４は、ＲＡＭ２４Ｂに記憶されている通話モードを必ず更新する。さらに、ＲＡＭ２４Ｂは、テレビ受像機３０の現在の動作モードが、テレビ放送の受信モード、ＢＳの入力モード、ＣＳの入力モード、外部入力モードのうちのどれであるかを示す情報も記憶する。そして、必要な場合には、処理回路２４は制御信号を利用してテレビ受像機３０に動作モードの問い合わせを行い、その結果をＲＡＭ２４Ｂに記憶する。
【００２２】
さらに、通信回路２６は、ハンドセット１０の通信回路１６と電波を通じて交信することにより、ハンドセット１０から送られてくる音声信号を処理回路２４に供給し、逆に相手から送られてくる音声信号をハンドセット１０に送信する。また、通信回路２６は、ハンドセット１０の通信回路１６との間で、各種の情報や制御データの送受信も行う。
【００２３】
▲１▼−３　テレビ受像機３０
テレビ受像機３０は、テレビ放送の受信系については通常のテレビ受像機とほぼ同様の構成とされているものであるが、それに加えてテレビ電話機本体２０からの制御信号にしたがってテレビ電話機のディスプレイとしても動作するように構成されている。このため、テレビ受像機３０は、テレビ電話機本体２０とはケーブルを通じて接続され、テレビ電話機本体２０から出力される映像信号が、そのケーブルを通じて外部入力端子に供給されるとともに、ケーブルを通じて制御信号もやりとりされる。
【００２４】
そして、テレビ受像機３０は、受信回路３１と、映像表示部３２と、処理回路３４とを有する。この場合、受信回路３１は、アンテナにより受信されたテレビ放送の放送波信号から映像信号および音声信号を復調して処理回路３４に送る。また、映像表示部３２は、ブラウン管あるいは液晶パネルなどの表示手段と、これをドライブする回路などから構成され、処理回路３４から送られてくる映像信号を映像として表示する。
【００２５】
さらに、処理回路３４は、マイクロコンピュータなどにより構成され、これに供給された映像信号を表示部３２に供給する、複数の映像入力があるときにはそれを切り換える、ＯＳＤとして表示させるためのアイコンを映像に重ねる、現在のテレビ受像機３０の動作モードを把握してテレビ電話機本体２０に通知するなどのの処理を行う。このため、処理回路３４は、ＲＯＭ３４ＡおよびＲＡＭ３４Ｂを有し、ＲＯＭ３４Ａには、処理回路３４が実行するプログラムと、ＯＳＤ用のアイコンなどのデータがあらかじめ書き込まれている。
【００２６】
▲２▼　各機器の外観および動作例
図２〜図５は、ハンドセット１０、テレビ電話機本体２０、テレビ受像機３０の外観およびそれぞれの動作状態におけるイメージを示すもので、テレビ電話機本体２０と、テレビ受像機３０はケーブルで接続されるが、テレビ電話機本体２０のビデオカメラ２１は、例えばテレビ受像機３０の上に配置される。
【００２７】
そして、図２は、テレビ受像機３０によりテレビ番組を視聴している状態を示す。この状態は、テレビ電話機としては待機モードの状態であるが、通常のテレビ受像機により番組を視聴している状態となんら変わりはない。
【００２８】
また、図３は、テレビ番組を視聴している場合（図２の状態）に、着信があって呼び出し中の状態を示す。この状態では、テレビ受像機３０の画面の右上に、着信を告げるアイコン３Ａが点滅表示され、ハンドセット１０のリンガが鳴動する。
【００２９】
さらに、図４は、映像通話モードにより通話をしている状態を示し、テレビ受像機３０の画面に、相手の映像３Ｂと自分の映像３Ｃとが表示される。これは、例えば図３の呼び出し中に、ハンドセット１０の操作部１３のカメラボタンを押して映像通話を開始した場合などである。なお、通話を終了してハンドセット１０の切ボタンを押すと、図２の状態に戻る。
【００３０】
図５は、発信のため、あらかじめ登録してあるアドレス帳から、目的とする相手のアドレスを検索している状態を示す。この状態では、テレビ受像機３０の画面に、アドレス帳に登録されている相手の名称が一覧表３Ｄの形式で表示され、ハンドセット１０によりその一覧表３Ｄから目的とする相手を選択すると、対応するアドレスが取り出され、ネットワーク４０に送出される。
【００３１】
▲３▼　各機器の動作状態および遷移
図６および図７は、▲１▼項で説明したテレビ電話機における状態遷移図を示す。そして、図６の状態遷移図は、映像通話モードのときだけテレビ電話の画面を表示させる場合である。また、図７は、映像通話モード以外、すなわち、音声通話モードやアドレスの入力中などのときにも、テレビ受像機３０に情報を表示させる場合である。
【００３２】
そして、まず、図６と図７とに共通する要素について説明すると、楕円は状態を表し、矢印は状態間の遷移を表す。そして、状態（楕円）のうち、「待機モード」状態は、音声通話、映像通話および各種のボタン操作のいずれも行っていない状態である。また、「アドレス入力モード」は、発信を行うときに、その通話相手のアドレスを、アドレス帳から検索するなどして入力する状態、あるいは所期設定やアドレス帳の編集など通話以外の操作を行っている状態である。さらに、「音声通話モード」および「映像通話モード」は▲１▼項で述べたとおりである。
【００３３】
なお、これらのモードおよび状態は排他である。また、今の場合、「音声通話モード」および「映像通話モード」から「アドレス入力モード」には戻れない仕様を想定しているので、状態の遷移のすべての場合が、図６あるいは図７に示したものとなる。
【００３４】
また、遷移（矢印）のうち、「切り換え」は、テレビ電話機本体２０からテレビ受像機３０に対して制御信号を出力し、テレビ受像機３０の状態を切り換えることである。すなわち、テレビ受像機３０の電源がオフであれば、まず、電源オンを指示し、その後、テレビ電話機本体２０からの映像信号への入力切り換えを指示する。これによりテレビ受像機３０にはテレビ電話の画面が表示される。
【００３５】
さらに、「復帰」は、「切り換え」の逆であり、テレビ受像機３０を「切り換え」前の元の状態に戻すことである。また、「なし」は、「切り換え」も「復帰」も行わないことである。そして、状態の遷移を生じたときには、テレビ電話機本体２０の処理回路２４は、ＲＡＭ２４Ｂに保存されている内容を現在の状態に更新する。
【００３６】
一方、図６と図７との違いは以下のとおりである。すなわち、図６は、映像通話モードのときのみ、テレビ受像機３０にテレビ電話の画面を表示させる場合であるが、音声通話モードのときには、テレビ受像機３０に映し出される映像は、それまで見ていたテレビ番組である。また、それまでテレビ受像機３０の電源がオフのときには、音声通話中もやはりオフである。しかし、映像通話モードのときには、テレビ受像機３０にテレビ電話の画面が映し出される。そして、このための切り換えは、映像通話モードを開始したときに自動的に行われる。
【００３７】
また、アドレス入力モードのときも、音声通話モードのときと同様、テレビ受像機３０の画面には、そのアドレス入力に関係する情報は表示されない。このため、アドレス入力に関係する情報は、ハンドセット１０の表示部１５に表示され、ユーザはその表示部１５を見ながら操作することになる。
【００３８】
さらに、図７は、どのモードでもテレビ受像機３０に情報を表示させる場合であるが、例えばテレビ番組を視聴していた状態から、音声通話や映像通話を開始するとき、テレビ受像機３０の入力がテレビ電話の画面に自動的に切り換わる。また、テレビ番組を視聴していた状態で、アドレス入力モードに遷移したときも、テレビ電話の画面に切り換わる。そして、この状態から音声通話モードあるいは映像通話モードへ切り換わったとき、テレビ受像機３０の入力切り換えは行われない。
【００３９】
なお、このような表示は、ハンドセット１０が表示部１５を備えていない場合や、音声通話モードであっても、通話相手の名前やアドレスをテレビ受像機３０に表示させたり、通話の経過時間を表示させたりする場合に有効である。
【００４０】
▲４▼　各機器の処理の内容
▲２▼項および▲３▼項により説明した動作を実現するため、テレビ電話機本体２０およびテレビ受像機３０において、例えば図８〜図１２に示すルーチン１００〜５００がそれぞれ実行される。これらのルーチン１００〜５００の詳細については、以下に詳述するが、図においては、ルーチン１００〜５００は、この発明に関係する部分だけを抜粋して示している。
【００４１】
▲４▼−１　ルーチン１００
ルーチン１００は、図２に示す待機モードから図３に示す着信の呼び出し状態に遷移し、さらに、図４に示す映像通話モードに遷移する場合について、テレビ電話機本体２０の処理回路２４が実行するものであり、図６および図７の状態遷移図における「待機モード」で実行される。
【００４２】
すなわち、ネットワーク４０を通じて信号が送られてくると、処理回路２４の処理がルーチン１００のステップ１０１からスタートし、次にステップ１０２において、その送られてきた信号が着信の呼び出し信号であるかどうかを識別し、呼び出し信号のときには、処理はステップ１０３に進み、通信回路２６がハンドセット１０からの信号を受信することにより、ハンドセット１０がオフフックされたかどうかを判断する。
【００４３】
そして、オフフックされていないときには、処理はステップ１０４に進み、テレビ受像機３０に着信の呼び出し中の表示を指示し、その後、ステップ１０２に戻る。したがって、相手からの呼び出し信号が続行し、かつ、オンフックが続いている間、テレビ受像機３０の表示部３２には、図３に示すように、呼び出しを告げるアイコン３Ａが点滅表示されている。
【００４４】
そして、ハンドセット１０において、オフフックのボタン操作が行われると、これがステップ１０３により判別され、ステップ１０５に進んでルーチン１００を終了し、以後、通話モードとなる。また、オフフックをする前に、相手が呼び出しをやめたときには、呼び出し信号が得られなくなるので、これがステップ１０２により判別され、ステップ１０５に進み、以後、再び待機モードとなる。
【００４５】
▲４▼−２　ルーチン２００
ルーチン２００は、ルーチン１００に対応してテレビ受像機３０の処理回路３４により実行される。すなわち、テレビ電話機本体２０から所定の制御信号が送られてくると、処理回路２４の処理がルーチン２００のステップ２０１からスタートし、次にステップ２０２において、テレビ電話機本体２０によりアイコンの表示が指示されているかどうかを判別し、指示されているときには、ステップ２０３に進み、ＲＯＭ３４Ａのデータを使用して所定のアイコン信号を形成し、図３に示すように、表示部３２に着信を告げるアイコン３Ａを点滅表示する。
【００４６】
続いて、処理はステップ２０４に進み、テレビ受像機３０の音声系（図示せず）を制御して音量を小さくし、さらに、ステップ２０５に進み、ＲＯＭ３４Ａのサウンドデータにより着信を示す着信音信号を形成し、スピーカ（図示せず）から着信音を出力させ、その後、ステップ２０２に戻る。したがって、テレビ電話機本体２０からのアイコン表示の指示が続いている間、すなわち、相手からの呼び出し信号が続行し、かつ、オンフックが続いている間、表示部３２には、図３に示すように、呼び出しを告げるアイコン３Ａが点滅表示されている。
【００４７】
そして、テレビ電話機本体２０からのアイコン表示の指示がなくなると、これがステップ２０２により判別され、ステップ２０６に進んでルーチン２００を終了する。
【００４８】
▲４▼−３　ルーチン３００
ルーチン３００は、図３の状態から図４の状態に移る場合、すなわち、着信の呼び出しに応じて映像通話を行う場合、および図５の状態から図４の状態に移る場合、すなわち、アドレスを検索してから発信を行って映像通話を行う場合など、テレビ受像機３０の電源のオンオフや入力切り換えを自動的に行う場合に、テレビ電話機本体２０の処理回路２４により実行される。
【００４９】
このルーチン３００が実行されるのは、図６および図７の状態遷移図において、「切り換え」および「復帰」の状態遷移の場合であり、すべての「切り換え」および「復帰」の場合で、処理の流れは同一である。
【００５０】
すなわち、着信の呼び出しに応答するとき、発信に先だってアドレスを入力するとき、あるいは音声通話から映像通話に切り換えときなど、ユーザがハンドセット１０の操作部１３のボタンを押すと、その操作されたボタンを示す信号が通信回路１５、２５を通じて処理回路２４に入力される。
【００５１】
すると、処理回路２４の処理がルーチン３００のステップ３０１からスタートし、次にステップ３０２において、接続されているテレビ受像機３０の現在の状態を制御信号により問い合わせ、その回答を記憶する。そして、ステップ３０３において、ステップ３０２で得られた回答と、入力されたボタン信号とにより、図６あるいは図７の状態変化に該当する場合、これが「切り換え」の状態遷移に該当するかどうかを判断する。すなわち、現在（状態遷移前）のテレビ電話機本体２０の状態と、受信した信号により遷移すべき状態とから、ＲＯＭ２４Ａに記憶されている図６あるいは図７の状態遷移図に対応するデータを参照することにより、当該状態遷移に該当するかどうかを判断する。これは、映像通話を開始する場合などのように、テレビ受像機３０の電源オンオフや入力切り換えを自動的に行う場合である。
【００５２】
そして、該当するときは、ステップ３０３において切り換え処理を行ってからステップ３０４に進み、該当しないときには、そのままステップ３０４に進む。なお、ステップ３０３における切り換え処理の詳細については後述する。
【００５３】
続いて、ステップ３０５において、ステップ３０３と同様に「復帰」の状態遷移に該当するかどうか判断する。これは、映像通話の終了の場合など、テレビ受像機３０の状態をもとに戻す場合である。このため、該当するときは、ステップ３０６において復帰の処理を行ってからステップ３０７に進み、該当しないときには、そのままステップ３０７に進み、このステップ３０７でルーチン３００を終了する。なお、ステップ３０６における復帰処理の詳細も後述する。
【００５４】
▲４▼−４　ルーチン４００
ルーチン４００は、ステップ３０４の切り換え処理時にテレビ電話機本体２０において、処理回路２４により実行される。
【００５５】
すなわち、処理回路２４は、ステップ４０２において、ステップ３０２においてすでに得ている、接続されているテレビ受像機３０の現在の状態をＲＡＭ２４Ｂに記憶する。次にステップ４０３において、記憶した回答からテレビ受像機３０の電源のオンオフ状態を判断する。そして、電源オフのときには、ステップ４０４により、テレビ受像機３０に電源をオンする制御信号を発信して電源をオンにさせ、その後、ステップ４０５に進む。また、ステップ４０３において、電源がオンのときには、そのままステップ４０５に進む。
【００５６】
そして、ステップ４０５においては、あらかじめＲＯＭ２４Ａに記憶されている情報にしたがった制御信号をテレビ受像機３０に発信し、テレビ受像機３０の入力をテレビ電話機本体２０に切り換え、その後、ステップ４０６によりルーチン４００を終了する。したがって、ルーチン４００が実行されると、テレビ受像機３０は、電源がオフであれば、オンとなり、テレビ電話機本体２０に入力が切り換えられ、この結果、テレビ電話機本体２０から着信のアイコンの信号やテレビ電話の映像信号が供給されれば、それまでの、テレビ受像機３０の状態にかかわらず、着信のアイコンやテレビ電話の画面が表示されることになる。
【００５７】
▲４▼−５　ルーチン５００
ルーチン５００は、ステップ３０６の復帰処理時にテレビ電話機本体２０において、処理回路２４により実行される。
【００５８】
すなわち、処理回路２４は、ステップ５０２において、ＲＡＭ２４Ｂに記憶しておいた切り換え前の状態の情報を読み出し、この情報にしたがって復帰のための制御信号をテレビ受像機３０に発信する。例えば、入力を受信回路３１に戻す制御信号を発信し、その後、電源をオフにする信号を発信するなどである。
【００５９】
以上により、テレビ受像機３０は、テレビ電話機を使用する前の状態に戻ることになる。
【００６０】
▲５▼　まとめ
上述のテレビ電話機によれば、テレビ受像機３０をテレビ電話機のディスプレイとして使用することができるが、その場合、テレビ電話の着信時に、ユーザが現在視聴している映像に重ねて着信を告げるアイコンが点滅表示されるので、着信を確実にユーザに通知することができる。また、テレビ電話の着信時には、ユーザはオフフックの操作をするだけで、それまでのテレビ受像機３０の状態にかかわらず入力が自動的に切り換えられ、ユーザはテレビ電話の画面を見ながら通話することができる。
【００６１】
さらに、音声通話モードによる通話中であっても、ハンドセット１０の操作部１３を操作するだけで、それまでのテレビ受像機３０の状態にかかわらず自動的にテレビ受像機３０の入力が切り換えられ、以後、テレビ電話の画面を見ながら通話をすることができる。また、同様に発信する場合も、ハンドセット１０の操作部１３のボタンを操作して映像通話モードを開始するだけで、自動的にテレビ受像機３０の入力が切り換えられる。
【００６２】
また、テレビ受像機３０の電源がオフであっても、ユーザが着信に応じる、あるいは映像通話モードへ切り換えるだけで、テレビ電話の画面を見ながら通話することができる。さらに、発信する場合も同様に自動的にテレビ受像機３０の電源がオンになり、テレビ電話の画面入力に切り換わる。また、通話の終了時、ユーザは通話終了のためのオンフックの操作のみ行えば、テレビ受像機３０は通話開始前と同じ状態に戻る。
【００６３】
そして、上記のように、（１）〜（４）項のすべてを解決することができるので、テレビ電話機としての使い勝手が向上する。
【００６４】
なお、上述においては、例えば着信があったとき、テレビ電話機本体２０がテレビ受像機３０に、着信アイコンの表示を指示する制御信号を供給し、その結果、テレビ受像機３０は着信を示すアイコンを表示する場合であるが、着信があったとき、テレビ電話機本体２０がテレビ受像機３０に、着信中であることを示す状態信号を供給し、これをテレビ受像機３０が判別して着信アイコンを表示することもできる。すなわち、上述においては、テレビ電話機本体２０がテレビ受像機３０に制御信号を供給すると、テレビ受像機３０は、その制御信号にしたがった処理を実行する場合であるが、テレビ電話機本体２０が、テレビ電話機としての状態を示す状態信号をテレビ受像機３０に供給し、テレビ受像機３０が、その状態信号を判別して対応する処理を実行することもできる。
【００６５】
そして、そのようにした場合には、テレビ受像機３０の機能が機種によって異なっていても、すなわち、例えば、ある機種では、着信アイコンの表示機能しかないが、別の機種では、着信アイコンの表示機能に加えて着信の相手の名前を表示したり、音量を小さくしたりする機能もあるようなとき、それぞれの機種において、それらの機能をフルに発揮することができる。
【００６６】
また、上述において、テレビ受像機３０が制御信号の受信機能だけを有し、制御信号の発信機能を持たない場合には、テレビ電話機本体２０はテレビ受像機３０の現在状態を知ることができないので、復帰処理ができなくなるが、切り換え処理に限れば、テレビ電話機本体２０からテレビ受像機３０の現在状態にかかわらず切り換え信号を送ることにより、なんら問題なく実行することができる。さらに、テレビ電話機本体２０とテレビ受像機３０とを一体化することもできる。
【００６７】
また、ルーチン１００、２００、３００およびそれらの一部のステップは、ポーリング処理により実行してもよく、あるいは割り込み処理により実行してもよい。さらに、上述においては、この発明をＩＰ電話に適用した場合であるが、一般のアナログ回線やＩＳＤＮ回線の電話に適用することもできる。また、テレビ受像機３０が例えば赤外線によるリモコン（遠隔操作）の機能がある場合には、テレビ電話機本体２０によるテレビ受像機３０の制御は、そのリモコン機能を利用することもできる。
【００６８】
さらに、テレビ受像機３０に外部入力が複数ある場合には、そのうちのどこにテレビ電話機本体２０が接続されているかによりテレビ電話機本体２０が送出すべき切り換え信号が異なるが、このためにテレビ電話機本体２０の初期設定を行うことで、上述と全く同様のことを行うことができる。
【００６９】
〔この明細書で使用している略語の一覧〕
ＢＳ　　：Ｂｒｏａｄｃａｓｔｉｎｇ　Ｓａｔｅｌｌｉｔｅ
ＣＣＤ　：Ｃｈａｒｇｅ　Ｃｏｕｐｌｅｄ　Ｄｅｖｉｃｅ
ＣＭＯＳ：Ｃｏｍｐｌｅｍｅｎｔａｒｙ　Ｍｅｔａｌ　Ｏｘｉｄｅ　Ｓｅｍｉｃｏｎｄｕｃｔｏｒ
ＣＳ　　：Ｃｏｍｍｕｎｉｃａｔｉｏｎ　Ｓａｔｅｌｌｉｔｅ
ＤＶＤ　：Ｄｉｇｉｔａｌ　Ｖｅｒｓａｔｉｌｅ　Ｄｉｓｃ
ＩＰ　　：Ｉｎｔｅｒｎｅｔ　Ｐｒｏｔｏｃｏｌ
ＩＳＤＮ：Ｉｎｔｅｇｒａｔｅｄ　Ｓｅｒｖｉｃｅ　Ｄｉｇｉｔａｌ　Ｎｅｔｗｏｒｋ
ＬＣＤ　：Ｌｉｑｕｉｄ　Ｃｒｙｓｔａｌ　Ｄｉｓｐｌａｙ
ＯＳＤ　：Ｏｎ　Ｓｃｒｅｅｎ　Ｄｉｓｐｌａｙ
ＲＡＭ　：Ｒａｎｄｏｍ　Ａｃｃｅｓｓ　Ｍｅｍｏｒｙ
ＲＯＭ　：Ｒｅａｄ　Ｏｎｌｙ　Ｍｅｍｏｒｙ
ＶＴＲ　：Ｖｉｄｅｏ　Ｔａｐｅ　Ｒｅｃｏｒｄｅｒ
【００７０】
【発明の効果】
この発明によれば、テレビ受像機をテレビ電話のディスプレイとして使用できるとともに、ディスプレイが一体化されているテレビ電話となんら変わることのなく使用することができる。
【図面の簡単な説明】
【図１】この発明の一形態を示す系統図である。
【図２】この発明を説明するための図である。
【図３】この発明を説明するための図である。
【図４】この発明を説明するための図である。
【図５】この発明を説明するための図である。
【図６】この発明を説明するための状態遷移図である。
【図７】この発明を説明するための状態遷移図である。
【図８】この発明の一形態を示すフローチャートである。
【図９】この発明の一形態を示すフローチャートである。
【図１０】この発明の一形態を示すフローチャートである。
【図１１】この発明の一形態を示すフローチャートである。
【図１２】この発明の一形態を示すフローチャートである。
【符号の説明】
１０…ハンドセット、１３…操作部、１４…処理回路、１６…通信回路、２０…テレビ電話機本体、２１…ビデオカメラ、２２…ネットワーク制御回路、２４…処理回路、３０…テレビ受像機、３１…受信回路、３２…表示部、３４…処理回路、４０…ネットワーク
【図１】
2004080289.tif 000003
【図２】
2004080289.tif 000004
【図３】
2004080289.tif 000005
【図４】
2004080289.tif 000006
【図５】
2004080289.tif 000007
【図６】
2004080289.tif 000008
【図７】
2004080289.tif 000009
【図８】
2004080289.tif 000010
【図９】
2004080289.tif 000011
【図１０】
2004080289.tif 000012
【図１１】
2004080289.tif 000013
【図１２】
2004080289.tif 000014